(57)【特許請求の範囲】
【請求項１】
ワイヤハーネスの布線および分岐用のＵ字状受部をワイヤハーネス組立図板上より立設する軸部で支持するワイヤハーネス組立用治具において、
上記Ｕ字状部受部は、両側の平板状の垂直部、左右の下部屈曲部とその間の底部とからなり、上記垂直部および下部屈曲部の内周面を凹ませてガイド溝とすると共に左右いずれか一方の下部屈曲部のガイド溝の底面を切り欠いてバンド引き抜き部とし、上記底部の上面は上記左右の下部屈曲部の内周面より低位置にして、該底部の上面に穿孔して係合部を設け、
上記係合部にバンドクリップのバンドロック部より突出するクリップ部を係合すると共に、バンドロック部の一端より延出するバンド本体を上記バンド引き抜き部側に配置した状態で、上記Ｕ字状受部の内周側にワイヤハーネスの幹線を布線すると共にワイヤハーネスの支線を上記垂直部に絡ませて上記幹線より分岐させてから、バンド本体を上記幹線に巻き付けて対向する側のガイド溝に通すことにより、バンドロック部の挿通穴に挿入することを特徴とするワイヤハーネス組立用治具。
【請求項２】
上記下部屈曲部の底部側の内周面は、係合されるバンドクリップのバンドロック部の上面と同一高さにすると共に、上記ガイド溝の底部側の底面は、バンドロック部の挿通穴の下面と同一高さにしていることを特徴とする請求項１に記載のワイヤハーネス組立用治具。
【請求項３】
上記バンド引き抜き部と連続させて垂直部上端までガイド溝の底面を切り欠いて開口部を設けていることを特徴とする請求項１または請求項２に記載のワイヤハーネス組立用治具。
【請求項４】
上記バンド引き抜き部を設けている側の垂直部を一側面より切り欠いてバンド通し部を設け、係合されるバンドクリップのバンド本体を該バンド通し部に通してＵ字状受部の外周側に配置することを特徴とする請求項１または請求項２に記載のワイヤハーネス組立用治具。
【請求項５】
上記バンド引き抜き部をバンド本体の引っ張り及び切断用の工具が挿入できる寸法にしていることを特徴とする請求項１乃至請求項４のいずれか１項に記載のワイヤハーネス組立用治具。
【請求項６】
ワイヤハーネスの布線および分岐用のＵ字状受部をワイヤハーネス組立図板上より立設する軸部により支持するワイヤハーネス組立用治具において、
上記Ｕ字状部受部は、底部の上面の両側より夫々２本の棒状あるいは平板状の部材を相互に間隔をあけた状態で斜め上方に屈曲させて鉛直上方に延出することにより形成されており、上記底部の上面は穿孔されて係合部が設けられ
上記係合部にバンドクリップのバンドロック部より突出するクリップ部を係合すると共に、バンドロック部の一端より延出するバンド本体をどちらか一方側の上記２本の部材間に配置し、
上記Ｕ字状受部の内周側にワイヤハーネスの幹線を布線すると共にワイヤハーネスの支線を上記部材に絡ませて上記幹線より分岐させ、バンド本体を上記幹線に巻き付けてバンドロック部の挿通穴に挿入することを特徴とするワイヤハーネス組立用治具。
【発明の詳細な説明】
【０００１】
【発明の属する技術分野】
本発明はワイヤハーネス組立用治具に関し、詳しくは、組立図板上でワイヤハーネスを製作する際に、ワイヤハーネスの幹線より支線を分岐させる位置で、バンドクリップを取り付けられるようにするものである。
【０００２】
【従来の技術】
自動車の車体に取り付けられるワイヤハーネスは、組立図板上に立設する種々の治具にワイヤハーネスを構成する電線群を布線して製作されている。ワイヤハーネスを分岐させる場合は分岐用治具により行われ、ワイヤハーネスに車体への固定用となるバンドクリップを取り付ける場合には、バンドクリップ用治具を用いて行われている。
【０００３】
図７は、ワイヤハーネス組立図板上におけるワイヤハーネスＷ／Ｈの分岐およびバンドクリップＢの取付状態を示している。ワイヤハーネスＷ／Ｈの分岐は、組立図板上より立設する分岐用治具１のＵ字状受部１ａの一方の垂直部１ｂによりワイヤハーネスＷ／Ｈの幹線Ｋから支線Ｓを分岐させている。また、バンドクリップＢの取付は、組立図板上より立設するバンドクリップ用治具２の係合部２ａにバンドクリップＢを係合させた状態で幹線Ｋを布線し、幹線Ｋの外周に係合溝を有するバンド本体Ｂ４を一周させて巻き付けてから、バンドロック部Ｂ３に設けられた挿通穴Ｂ５に挿入して締結しロック固定している。なお、ロック固定後は、バンド本体Ｂ４の先端部側は不要部として切断されている。
【０００４】
【発明が解決しようとする課題】
上記分岐用治具１とバンドクリップ用治具２との間隔Ｓ１は、両治具の干渉を避けるため、最低３０ｍｍは開ける必要があり、そのため、ワイヤハーネスＷ／Ｈの分岐位置と同一箇所にバンドクリップＢを取り付けることできず、バンドクリップの取付位置が制限される問題があった。また、バンド本体Ｂ４をバンドロック部Ｂ３の挿通穴Ｂ５に挿入するには、この挿通穴Ｂ５の位置を挿入毎に確認しなければならないため手間がかかる問題がある。さらに、挿通穴Ｂ５がワイヤハーネスＷ／Ｈの幹線Ｋ等に隠れて直接に確認できない場合もあり、このような場合には挿通穴Ｂ５の位置を探りながら挿入する必要があるので挿入作業に時間を要する問題もある。
【０００５】
上記したバンドクリップの取付位置が制限される問題に対しては、図８、９に示す、特開平１０−１４４１５６号および特開平１０−１４４１５８号におけるバンドクリップ用治具５および５’が提案されている。
【０００６】
図８のバンドクリップ用治具５は、Ｕ字状のアーム５ａの内周面にバンドクリップＢのバンド本体Ｂ４嵌合用の嵌合溝５ｂを設けており、直方体形状のバンドロック部Ｂ３をアーム５ａの一方側の上端に位置させてバンド本体Ｂ４を嵌合溝５ｂに嵌合させ、バンドクリップＢを取り付けている。その後、ワイヤハーネスＷ／Ｈをアーム５ａの内周側に布線してからバンド本体Ｂ１を先端から順次、嵌合溝５ｂより抜いていき、バンドロック部Ｂ３の挿通穴Ｂ５に挿入して引っ張りロック固定している。
【０００７】
上記のように、バンドクリップ用治具５は、一つの治具でワイヤハーネスＷ／Ｈの布線とバンドクリップＢの取付を行えるようにしているが、バンド本体Ｂ４を締結してロック固定した状態では、ワイヤハーネスＷ／Ｈが布線時に対して上方に持ち上げられた状態となり、製作されるワイヤハーネスＷ／Ｈの寸法精度が低下する問題がある。また、この状態では、バンド本体Ｂ４と嵌合溝５ｂが嵌合している部分が一部分のみなので、ワイヤハーネスＷ／Ｈの重量等が大きい場合には、アーム部５ａよりバンドクリップＢが脱落するおそれがあり、安定した布線状態で製作作業を行うことが困難になる問題がある。
【０００８】
一方、図９のバンドクリップ取付用治具５’は、Ｕ字状のアーム５ａ’の最下部にバンド係合部５ｃ’を設けて、ワイヤハーネスＷ／Ｈの布線とバンドクリップＢの取付を同時に行えるようにしている。しかし、ワイヤハーネスＷ／Ｈの幹線Ｋをアーム５ａ’の内周側に布線すると共に、アーム５ａ’の一方側の垂直部５ｂ’で支線Ｓを分岐すると、幹線Ｋおよび支線Ｓは垂直部５ｂ’の周囲面５ｃ’で接しているので幹線Ｋ等と周囲面５ｃ’との間には隙間がない。よって、バンド本体Ｂ４を幹線Ｋの周囲に巻き付けることができず、ワイヤハーネスＷ／Ｈの分岐状態を維持してバンドクリップＢを取り付けることができない問題がある。また、この場合も、ワイヤハーネスＷ／Ｈの幹線Ｋおよびアーム５ａ’により挿通穴Ｂ５の位置を確認するのが困難となる問題がある。
【０００９】
本発明は、上記した問題に鑑みてなされたものであり、ワイヤハーネスの分岐用治具とバンドクリップ用治具との一体化を図り、ワイヤハーネスの分岐とバンドクリップの取付を同一箇所で行えるようにすることを第一の課題としている。また、バンドクリップのバンド本体の挿通穴への挿入を容易に行えるようにすることを第二の課題としている。
【００１０】
【課題を解決するための手段】
上記課題を解決するために、本発明は、ワイヤハーネスの布線および分岐用のＵ字状受部をワイヤハーネス組立図板上より立設する軸部で支持するワイヤハーネス組立用治具において、
上記Ｕ字状部受部は、両側の平板状の垂直部、左右の下部屈曲部とその間の底部とからなり、上記垂直部および下部屈曲部の内周面を凹ませてガイド溝とすると共に左右いずれか一方の下部屈曲部のガイド溝の底面を切り欠いてバンド引き抜き部とし、上記底部の上面は上記左右の下部屈曲部の内周面より低位置にして、該底部の上面に穿孔して係合部を設け、
上記係合部にバンドクリップのバンドロック部より突出するクリップ部を係合すると共に、バンドロック部の一端より延出するバンド本体を上記バンド引き抜き部側に配置した状態で、上記Ｕ字状受部の内周側にワイヤハーネスの幹線を布線すると共にワイヤハーネスの支線を上記垂直部に絡ませて上記幹線より分岐させてから、バンド本体を上記幹線に巻き付けて対向する側のガイド溝に通すことにより、バンドロック部の挿通穴に挿入することを特徴とするワイヤハーネス組立用治具を提供している。
【００１１】
上記のように、Ｕ字状受部の内周面にバンド本体のガイド溝を設けると共に治具のＵ字状受部の底部にクリップ部係合用の係合部を設けることで、バンドクリップを治具に取り付けた状態でも、ワイヤハーネスを布線することができる。また、Ｕ字状受部の垂直部でワイヤハーネスの支線を分岐させても、ガイド溝があるため支線の分岐箇所にバンドクリップのバンド本体を通すことができ、分岐状態を維持して幹線の周囲にバンド本体を巻き付けることができる。なお、上記垂直部による分岐は、左右どちらの垂直部でも行うことができるが、バンド引き抜き部を設けていない側の垂直部で行う方が、支線と干渉することなくバンド本体の引き抜き等を行えるので好ましい。
【００１２】
また、上記下部屈曲部の底部側の内周面は、係合されるバンドクリップのバンドロック部の上面と同一高さにすると共に、上記ガイド溝の底部側の底面は、バンドロック部の挿通穴の下面と同一高さにしている。このようにすることで、ワイヤハーネスが布線されると、同一高さであるバンドロック部の上面と下部屈曲部の内周面で支持されるので、ワイヤハーネスの布線状態が安定すると共にワイヤハーネスの寸法精度も維持できる。さらに、挿通穴の位置を直接確認することができなくても、ガイド溝の底面と挿通穴の下面が同一高さにされているので、バンド本体をガイド溝に沿わしていくだけで、バンド本体の先端が挿通穴の入り口に導かれ、バンド本体を容易に挿通穴に挿入できる。
【００１３】
上記バンド引き抜き部と連続させて垂直部上端までガイド溝の底面を切り欠いて開口部を設けていることが好ましい。上記のようにすることで、治具に係合させたバンドクリップのバンド本体をＵ字状受部の内周側より上記開口部を通って外周側へ抜け出せるので、ワイヤハーネスをＵ字状受部に布線する際に、バンド本体の先端部が干渉せず、容易にワイヤハーネスを布線できる。
【００１４】
また、上記バンド引き抜き部を設けている側の垂直部を一側面より切り欠いてバンド通し部を設け、係合されるバンドクリップのバンド本体を該バンド通し部に通してＵ字状受部の外周側に配置するようにしてもよい。このようにバンド通し部を設けることにより、バンド本体の先端部側をＵ字状受部の外周側に配置することができ、ワイヤハーネスの布線時におけるバンド本体の干渉がなくなるため、ワイヤハーネスの布線を容易にできる。
【００１５】
さらに、本発明は、上記バンド引き抜き部をバンド本体の引っ張り及び切断用の工具が挿入できる寸法にしている。バンド本体をワイヤハーネスに取り付けて挿通穴に挿入して引っ張る際に、上記治具においては、挿通穴より突出する直後のバンド本体を把持することができるので、引っ張り力が分散しにくくなり、確実にバンド本体を引っ張ることができる。また、ロック固定後の不要とバンド本体の先端側を、ワイヤハーネスが治具に布線された状態で、挿通穴より突出する根元で切断できる。
【００１６】
また、本発明は、ワイヤハーネスの布線および分岐用のＵ字状受部をワイヤハーネス組立図板上より立設する軸部により支持するワイヤハーネス組立用治具において、
上記Ｕ字状部受部は、底部の上面の両側より夫々２本の棒状あるいは平板状の部材を相互に間隔をあけた状態で斜め上方に屈曲させて鉛直上方に延出することにより形成されており、上記底部の上面は穿孔されて係合部が設けられ
上記係合部にバンドクリップのバンドロック部より突出するクリップ部を係合すると共に、バンドロック部の一端より延出するバンド本体をどちらか一方側の上記２本の部材間に配置し、
上記Ｕ字状受部の内周側にワイヤハーネスの幹線を布線すると共にワイヤハーネスの支線を上記部材に絡ませて上記幹線より分岐させ、バンド本体を上記幹線に巻き付けてバンドロック部の挿通穴に挿入することを特徴とするワイヤハーネス組立用治具を提供している。上記のようにすることで、治具が左右対称の形状となり、バンドクリップを係合する際にバンド本体を左右どちら側にも配置できるので、ワイヤハーネスの分岐形態や作業状況に合わせてバンドクリップを取り付けることができる。
【００１７】
【発明の実施の形態】
以下、本発明を図面を参照して説明する。
図１は、本発明の第一実施形態のワイヤハーネス組立用治具１０であり、ワイヤハーネスの布線および分岐用であるＵ字状受部１１の最下部１１ａに、組立図板（図示せず）より立設する軸部１２が結合されて上記Ｕ字状受部１１を支持している。
【００１８】
上記Ｕ字状受部１１は、両側の平板状の垂直部１４、左右の下部屈曲部１５と上記下部屈曲部１５の間を結ぶ底部１３より構成されている。底部１３の上面１３ｂは両側の下部屈曲部１５の内周面１５ａより高さＨ１だけ低い位置に設けられている。この上面１３ｂの中央部に、図中に示すバンドクリップＢのバンドロック部Ｂ３より突出するクリップ部Ｂ１を係合する係合穴１３ａが設けられている。上記高さＨ１は、バンドクリップＢの鍔部Ｂ２からバンドロック部Ｂ３の上面までの寸法Ｔ１と同一寸法に設定している。
【００１９】
Ｕ字状受部１１の両側の垂直部１４および下部屈曲部１５には、内周面１４ａ、１５ａの中央部に凹みを設け、凹みの両側に内周面が１４ａ、１５ａが残るようにして、バンドロック部Ｂ３の一端より延出するバンド本体Ｂ４用のガイド溝１６を設けている。ガイド溝１６の幅は、バンド本体Ｂ４の幅より少し広くして、ガイド溝１６にバンド本体Ｂ４をスムーズに通すことができるようにしている。また、ガイド溝１６の深さは、バンド本体Ｂ４を確実にガイドできるように、バンド本体Ｂの厚み以上に設定しており、特に下部屈曲部１５の底部１３側の端部１５ｂにおいては、ガイド溝１６の深さＨ２をバンドロック部Ｂ３の上面から挿通穴Ｂ５の下面までの寸法Ｔ２と同一寸法に設定している。
【００２０】
また、バンド本体Ｂ４の引き抜き側となる一方側の下部屈曲部１５は、ガイド溝１６の底面を切り欠いてバンド引き抜き部１５ｃを設けている。バンド引き抜き部１５ｃは、幅をガイド溝１６の幅と同等にしており、高さはバンド本体Ｂ４が抜け出る際に干渉等が発生しない寸法にしている。
【００２１】
上記治具１０によりワイヤハーネスを布線および分岐させると共にバンドクリップＢをワイヤハーネスに取り付けるには、図２（Ａ）に示すように、まず、クリップ部Ｂ１を係合穴１３ａに係合させると共に、バンド本体Ｂ４をバンド引き抜き部１５ｃ側に配置してガイド溝１６に通している。この状態で、ワイヤハーネスＷ／Ｈの幹線ＫをＵ字状受部１１の内周側に布線している。上記布線された幹線Ｋは、バンドロック部Ｂ３の上面や下部屈曲部１５の内周面１５ａにより支持され、これら支持面はバンドロック部Ｂ３の上面を中心にして両側の内周面１５ａが同一高さなので、安定した状態で布線されている。
【００２２】
次に、図２（Ｂ）に示すように、支線Ｓをバンド引き抜き部１５ｃを設けていない側の垂直部１４に絡ませて布線させることで幹線Ｋより分岐させている。この分岐状態では、幹線Ｋと垂直部１４の内周面１４ａは接しているが、中央にガイド溝１６が存在しているので、バンド本体Ｂ４を通すための空間Ｒが発生している。上記支線Ｓの分岐側は、左右どちらの垂直部１４でも可能だが、バンド本体Ｂ４の引き抜き作業との干渉を考慮して上記の垂直部１４で行うことが好ましい。なお、左右の垂直部１４で同時に分岐させることも可能である。
【００２３】
その後、図２（Ｃ）に示すように、バンド本体Ｂ４を幹線Ｋに巻き付けて先端から対向する側のガイド溝１６へ通していく。この際、上記空間Ｒが確保されているので、幹線Ｋを持ち上げることなしに、スムーズにバンド本体Ｂ４を通すことができる。上記状態より、さらにガイド溝１６に沿ってバンド本体Ｂ４を進ませていくと、ガイド溝１６の最下部１１ａ側の底面１６ａと挿通穴Ｂ５の下面と同一の高さとなるので、バンド本体Ｂ４の先端はガイド溝１６に導かれて挿通穴Ｂ５に容易に挿入される。この状態よりバンド本体Ｂ４をさらに挿入して、図２（Ｄ）に示すように、バンド引き抜き部１５ｃより引き出したバンド本体Ｂ４の先端を、バンド本体の引っ張り及び切断用の工具であるタイバンドカッターＴにより締結方向へ引っ張り、その後、バンド本体Ｂ４の先端側を不要箇所として切断除去している。
【００２４】
図３（Ａ）は、本発明の第二実施形態のワイヤハーネス組立用治具１０’を示している。上記治具１０’は、上記第一実施形態の治具１０において、バンド本体Ｂ４を引っ張り出すためのバンド引き抜き部１５ｃ’の上端より垂直部１４’の上端まで連続させて切り欠いて一方側のガイド溝の底面を全て開口部１４ｂ’にしている。その他の部分は、第一実施形態と同様にしている。
【００２５】
上記治具１０’に第一実施形態と同様にバンドクリップＢを取り付けると、図３（Ｂ）に示すように、バンド本体Ｂ４はバンド引き抜き部１５ｃ’よりＵ字状受部１１’の外側へ抜け出て略水平状態で位置するので、ワイヤハーネスをＵ字状受部１１’へ布線等する際に、バンド本体Ｂ４の先端部付近が邪魔にならないので、容易に布線作業を行える。ワイヤハーネスの布線および分岐後、バンド本体Ｂ４は、バンド引き抜き部１５ｃ’および開口部１４ｂ’を通り抜けて対向する側ガイド溝１６’へ通し、以降、第一実施形態と同様にしてワイヤハーネスにバンドクリップＢを取り付けている。
【００２６】
図４（Ａ）は、本発明の第三実施形態のワイヤハーネス組立用治具１０”を示している。上記治具１０”は、上記第一実施形態の治具１０において、バンド引き抜き部１５ｃ”を有する側の垂直部１４”に一側面より切り欠いてバンド通し部１４ｃ”を設けている。このバンド通し部１４ｃ”は、上辺１４ｄ”を水平にして、下辺１４ｅ”は下方から上方へと向かう斜辺としている。その他の部分は、第一実施形態と同様にしている。なお、治具１０”では、上記バンド通し部１４ｃ”によりバンド本体Ｂ４を保持するので、バンド通し部１４ｃ”を有する側の垂直部１４”、下部屈曲部１５”には、ガイド溝１６”を設けないようにしてもよい。また、バンド通し部１４ｃ”の形状も上記形態に限定されない。
【００２７】
上記治具１０”にバンドクリップＢを取り付けるには、図４（Ｂ）に示すように、第一実施形態と同様に、クリップ部Ｂ１を係合部１３ａ”に係合させて、バンド本体Ｂ４を垂直部１４”へ引き上げて、バンド通し部１４ｃ”を通してＵ字状受部１１”の外周側へ引っ張り出している。この際、バンド通し部１４ｃ”の下辺１４ｅ”が斜辺となっているので、バンド本体Ｂ４を容易に引っ張り出すことができる。上記のようにバンド本体Ｂ４を位置させることで、ワイヤハーネスの布線および分岐作業の際に、バンド本体Ｂ４が邪魔とならずスムーズに作業が行える。ワイヤハーネスの布線および分岐終了後は、バンド本体Ｂ４の先端部側をバンド通し部１４ｃ”よりＵ字状受部１１”の内周側に戻し、第一実施形態と同様にワイヤハーネスへの取付を行っている。
【００２８】
図５（Ａ）は、本発明の第四実施形態のワイヤハーネス組立用治具５０を示している。上記治具５０は、上記第一実施形態の治具１０において、バンド引き抜き部５５ｃを有する一方側の下部屈曲部５５の幅を広くして、バンド引き抜き部５５の幅および縦寸法をタイバンドカッターＴの把持部Ｔａが閉じた状態で入ることのできる寸法に設定している。また、上記バンド引き抜き部５５ｃの寸法を確保するために、バンド引き抜き部５５ｃを有する側の下部屈曲部５５の内周面５５ａを底部５３の上面５３ｂと連続して設けるようにしてもよい。治具５０の上記以外の形状等は第一実施形態と同様である。また、バンドクリップＢの治具５０への取付およびワイヤハーネスの布線等も第一実施形態と同様である。
【００２９】
バンド本体Ｂ４の引っ張りは、図５（Ｂ）に示すように、挿通穴Ｂ５より出た直後のバンド本体Ｂ４をタイバンドカッターで把持して行っている。このようにバンド本体Ｂ４を挿通穴Ｂ５ｆの直後で引っ張ることができるので、より確実に強い力で引っ張り作業を行うことができる。さらにバンド本体Ｂ４の不要箇所を治具５０にバンドクリップＢが取り付けられた状態で切断除去する際にも、挿通穴Ｂ５の直後で切断できるので見栄えを向上できる。なお、治具５０の上記バンド引き抜き部５５ｃの形状は、第三実施形態の治具１０”にも適用することができる。
【００３０】
図６（Ａ）は、本発明の第五実施形態のワイヤハーネス組立用治具５０’を示している。上記治具５０’のＵ字状部受部５１’は、ワイヤハーネス分岐およびバンドクリップの取付用であり、最下部５１ａ’の底部５３’が組立図板（図示せず）より立設する軸部５２’で支持されている。Ｕ字状部受部５１’は、底部５３’の上面５３ｂ’の両側より夫々２本の平板状の部材５７Ａ、５７Ｂ、５８Ａ、５８Ｂを相互に間隔Ｈ３をあけた状態で、かつ、これら部材５７Ａ、５７Ｂ、５８Ａ、５８Ｂを斜め上方に屈曲させて鉛直上方に延出させて形成されている。上記各部材の間隔Ｈ３は係合するバンドクリップＢのバンド本体Ｂ４の幅より広くしている。また、底部５３’の上面５３ｂ’は穿孔されてバンドクリップＢの係合用の係合部５３ａ’が設けられている。なお、上記部材５７Ａ、５７Ｂ、５８Ａ、５８Ｂは棒状の形状にしてもよい。
【００３１】
上記治具５０’にバンドクリップＢを取り付けるには、図６（Ｂ）に示すように、バンドクリップＢのバンドロック部Ｂ３より突出するクリップ部Ｂ１を係合部５３ａに係合させている。バンド本体Ｂ４はＵ字状受部５１’が左右同一形状なので、バンド本体Ｂ４を左右のどちら側へ位置させてもよく、本実施形態では、部材５７Ａ、５８Ａ側へ位置させている。その後、第一実施形態等と同様に、ワイヤハーネスを布線および分岐させた後、バンド本体Ｂ４をワイヤハーネスの幹線に巻き付けてバンドロック部Ｂ３の挿通穴Ｂ５へ挿入している。このように、治具５０’はワイヤハーネスの形態や作業状況等にあわせて、柔軟にバンド本体の取り付ける方向を適応させることができる。
【００３２】
【発明の効果】
上記の説明より明らかなように、本発明のワイヤハーネス分岐およびバンドクリップ取付用治具を用いることで、ワイヤハーネスの分岐およびバンドクリップの取付を同一の箇所で行うことができる。また、分岐用治具とバンドクリップ取付用治具を一つに統合することにより、図板上より立設する治具の本数を低減することができるので、作業性の向上やコストの低減を図ることができる。さらに、バンド本体を挿通穴に挿入させるには、ガイド溝にバンド本体を沿わしていくだけで、ボンド本体の先端が挿通穴に導かれるので、容易に挿入することができる。
【図面の簡単な説明】
【図１】本発明の第一実施形態の治具を示す斜視図である。
【図２】（Ａ）（Ｂ）（Ｃ）（Ｄ）は、第一実施形態の治具によるワイヤハーネスの布線等およびバンドクリップの取付を示す概略図である。
【図３】本発明の第二実施形態の治具であり、（Ａ）は斜視図、（Ｂ）はバンドクリップの取付状態を示す概略図である。
【図４】本発明の第三実施形態の治具であり、（Ａ）は斜視図、（Ｂ）はバンドクリップの取付状態を示す概略図である。
【図５】本発明の第四実施形態の治具であり、（Ａ）は斜視図、（Ｂ）はバンドクリップの引っ張り状態を示す概略図である。
【図６】本発明の第五実施形態の治具であり、（Ａ）は斜視図、（Ｂ）はバンドクリップの取付状態を示す概略図である。
【図７】従来のワイヤハーネスの分岐およびバンドクリップの取付状態を示す斜視図である。
【図８】他の従来の治具によるバンドクリップの取付を示す斜視図である。
【図９】別の他の従来の治具を示す斜視図である。
【符号の説明】
１０、１０’、１０”、５０、５０’            治具
１１、１１’、１１”、５１、５１’            Ｕ字状受部
１３、１３’、１３”、５３、５３’            底部
１３ａ、１３ａ’、１３ａ”、５３ａ、５３ａ’  係合部
１４、１４’、１４”、５４                    垂直部
１５、１５’、１５”、５５                    下部屈曲部
１５ｃ、１５ｃ’、１５ｃ”、５５ｃ            バンド引き抜き部
１６、１６’、１６”、５６                    ガイド溝
Ｂ        バンドクリップ
Ｂ１      クリップ部
Ｂ２      鍔部
Ｂ３      バンドロック部
Ｂ４      バンド本体
Ｂ５      挿通部
Ｋ        幹線
Ｓ        支線
Ｔ        タイバンドカッター
【図１】
0003584777.tif 000002
【図２】
0003584777.tif 000003
【図３】
0003584777.tif 000004
【図４】
0003584777.tif 000005
【図５】
0003584777.tif 000006
【図６】
0003584777.tif 000007
【図７】
0003584777.tif 000008
【図８】
0003584777.tif 000009
【図９】
0003584777.tif 000010